(57)【要約】【課題】代理店とユーザとの両者に有益なアフィリエイトサーバを提供する。【解決手段】アフィリエイトサーバ１は、代理店コードを含んだアフィリエイトサーバ１のＵＲＬを通信ネットワーク５を介して接続された携帯電話機３で指定することで、携帯電話機３のユーザのユーザコードと代理店コードとを受け付ける指定情報受付手段１１と、それらを対応付けて記憶したユーザ記憶手段２２からユーザコードに基づき代理店コードを抽出する代理店コード抽出手段１３と、その代理店コードと対応するクーポン情報とを代理店記憶手段２１から抽出するクーポン情報抽出手段１４と、クーポン情報を携帯電話機３で選択可能に表したＷｅｂページを生成するＷｅｂページ生成手段１５と、携帯電話機３でＷｅｂページから選択されたクーポン情報を受信してクーポンを用いた決済処理をし、クーポン情報に対する代理店コードの代理店に報酬を付与する報酬付与手段１８とを備える。【選択図】図２
2010287067.tif 000002
【特許請求の範囲】
【請求項１】
Ｗｅｂページを表示するユーザ端末に対して通信ネットワークを介して接続されたアフィリエイトサーバであって、
販売促進対象を特定する促進対象コードと、販売促進のための特典情報とを対応付けて記憶する販売促進記憶手段と、
前記促進対象コードを含んだ前記アフィリエイトサーバのＵＲＬを前記ユーザ端末において指定することで前記ユーザ端末に対して通信を行い、前記ユーザ端末のユーザを示すユーザコードと、前記促進対象コードとを受け付ける指定情報受付手段と、
前記指定情報受付手段により受け付けた前記促進対象コードと前記ユーザコードとを対応付けて記憶するユーザ記憶手段と、
前記ユーザコードに対応する前記促進対象コードを、前記ユーザ記憶手段から抽出する促進対象コード抽出手段と、
前記促進対象コード抽出手段により抽出された少なくとも１つの促進対象コードに対応する前記特典情報を、前記販売促進記憶手段から抽出する特典情報抽出手段と、
前記特典情報抽出手段により抽出された前記特典情報を前記ユーザ端末で選択可能に表したＷｅｂページを生成するＷｅｂページ生成手段と、
前記Ｗｅｂページ生成手段により生成された前記Ｗｅｂページを前記ユーザ端末に送信するＷｅｂページ送信手段と、
前記Ｗｅｂページを受信した前記ユーザ端末で表示された前記Ｗｅｂページにおいて選択された前記特典情報を前記ユーザ端末から受信してその特典情報を用いた決済処理を行い、前記販売促進記憶手段を参照してその特典情報に対応する前記促進対象コードが示す前記販売促進対象に対して報酬を付与する報酬付与手段と、
を備えること、
を特徴とするアフィリエイトサーバ。
【請求項２】
請求項１に記載のアフィリエイトサーバにおいて、
前記アフィリエイトサーバのＵＲＬの前記ユーザ端末での指定は、前記ユーザ端末において二次元コードを読み取ることで行われるものであること、
を特徴とするアフィリエイトサーバ。
【請求項３】
請求項１又は請求項２に記載のアフィリエイトサーバにおいて、
前記販売促進記憶手段は、前記特典情報に特典の有利な度合いを表すランク情報を含み、
前記Ｗｅｂページ送信手段は、前記促進対象コードに対応する前記特典情報のうち有利な前記ランク情報のものから順番に出力するように前記Ｗｅｂページを生成して送信すること、
を特徴とするアフィリエイトサーバ。
【請求項４】
請求項１から請求項３までのいずれか１項に記載のアフィリエイトサーバにおいて、
前記販売促進記憶手段は、前記特典情報の使用可能な期間を定める有効期限を前記特典情報に対応付けて記憶し、
前記Ｗｅｂページ送信手段は、前記促進対象コードに対応する前記特典情報のうち前記有効期限が使用可能な範囲の前記特典情報を抽出し、抽出した前記特典情報に対応する前記有効期限のうち期限の到来が早いものから順番に出力するように前記Ｗｅｂページを生成して送信すること、
を特徴とするアフィリエイトサーバ。
【請求項５】
請求項１から請求項４までのいずれか１項に記載のアフィリエイトサーバにおいて、
前記報酬付与手段は、前記促進対象コードに対応する前記ユーザコードの記憶数量に応じて、前記記憶数量が多いほどより多くの報酬を付与すること、
を特徴とするアフィリエイトサーバ。
【発明の詳細な説明】
【技術分野】
【０００１】
本発明は、アフィリエイトサーバに関する。
【背景技術】
【０００２】
従来、インターネットを使用したアフィリエイトという広告手法を用いることが行われている。アフィリエイトとは、一般に、Ｗｅｂサイトやメールマガジン等において、企業のサイトへのリンクを張り、Ｗｅｂサイト等の閲覧者が、リンクを経由して企業のサイトを参照して会員登録したり商品を購入したりすることで、リンク元のＷｅｂサイトやメールマガジン等の主催者に対して報酬が支払われるものをいう。
【０００３】
このような中、どの店舗（Ｗｅｂサイト等）を経由してアクセスしてきたかを識別して、店舗別の成功報酬型の広告手数料の計算が可能なアフィリエイトサーバが開示されている（例えば、特許文献１参照）。
【先行技術文献】
【特許文献】
【０００４】
【特許文献１】特開２００８−９９５０号公報
【発明の概要】
【発明が解決しようとする課題】
【０００５】
特許文献１に記載のアフィリエイトサーバは、店舗には、広告手数料の支払という報酬の恩恵があったが、企業サイトに会員登録したり、商品購入を行ったりしたユーザには、特段の恩恵があるわけではなかった。
【０００６】
本発明は、店舗等の販売促進対象とユーザとの両者に有益なアフィリエイトサーバを提供することを目的とする。
【課題を解決するための手段】
【０００７】
本発明者は、販売促進対象とユーザとの両者を特定し、各々に恩恵を与える方法を見出し、本発明を完成するに至った。本発明は、具体的には次のようなものを提供する。
【０００８】
（１）  Ｗｅｂページを表示するユーザ端末に対して通信ネットワークを介して接続されたアフィリエイトサーバであって、販売促進対象を特定する促進対象コードと、販売促進のための特典情報とを対応付けて記憶する販売促進記憶手段と、前記促進対象コードを含んだ前記アフィリエイトサーバのＵＲＬを前記ユーザ端末において指定することで前記ユーザ端末に対して通信を行い、前記ユーザ端末のユーザを示すユーザコードと、前記促進対象コードとを受け付ける指定情報受付手段と、前記指定情報受付手段により受け付けた前記促進対象コードと前記ユーザコードとを対応付けて記憶するユーザ記憶手段と、前記ユーザコードに対応する前記促進対象コードを、前記ユーザ記憶手段から抽出する促進対象コード抽出手段と、前記促進対象コード抽出手段により抽出された少なくとも１つの促進対象コードに対応する前記特典情報を、前記販売促進記憶手段から抽出する特典情報抽出手段と、前記特典情報抽出手段により抽出された前記特典情報を前記ユーザ端末で選択可能に表したＷｅｂページを生成するＷｅｂページ生成手段と、前記Ｗｅｂページ生成手段により生成された前記Ｗｅｂページを前記ユーザ端末に送信するＷｅｂページ送信手段と、前記Ｗｅｂページを受信した前記ユーザ端末で表示された前記Ｗｅｂページにおいて選択された前記特典情報を前記ユーザ端末から受信してその特典情報を用いた決済処理を行い、前記販売促進記憶手段を参照してその特典情報に対応する前記促進対象コードが示す前記販売促進対象に対して報酬を付与する報酬付与手段と、を備えること、を特徴とするアフィリエイトサーバ。
【０００９】
本発明のこのような構成によれば、促進対象コードを含んだアフィリエイトサーバのＵＲＬをユーザ端末において指定することで、アフィリエイトサーバが店舗等の販売促進対象を特定できるので、販売促進対象に対して報酬を付与することができる。また、促進対象コードと特典情報とを対応付けて記憶し、促進対象コードを含んだアフィリエイトサーバのＵＲＬをユーザ端末において指定することで、ユーザに特典を与えることができる。よって、販売促進対象とユーザとの両者に有益であるので、販売促進対象とユーザとが相互に活用して、このシステムを活性化させることができる。さらに、ユーザ端末では、Ｗｅｂページにおいて特典情報を選択可能に表示するので、例えば、複数の特典情報を表示する際に、ユーザが特典情報を比較しやすいように表示できる。
【００１０】
（２）  （１）に記載のアフィリエイトサーバにおいて、前記アフィリエイトサーバのＵＲＬの前記ユーザ端末での指定は、前記ユーザ端末において二次元コードを読み取ることで行われるものであること、を特徴とするアフィリエイトサーバ。
【００１１】
本発明のこのような構成によれば、ユーザ端末において二次元コードを読み取ることで、アフィリエイトサーバのＵＲＬを取得できるので、簡易な方法でアフィリエイトサーバに接続することができる。また、二次元コードの頒布性の容易さを利用して、多くのユーザに、アフィリエイトサーバのＵＲＬを配布することができる。
【００１２】
（３）  （１）又は（２）に記載のアフィリエイトサーバにおいて、前記販売促進記憶手段は、前記特典情報に特典の有利な度合いを表すランク情報を含み、前記Ｗｅｂページ送信手段は、前記促進対象コードに対応する前記特典情報のうち有利な前記ランク情報のものから順番に出力するように前記Ｗｅｂページを生成して送信すること、を特徴とするアフィリエイトサーバ。
【００１３】
本発明のこのような構成によれば、特典情報に特典の有利な度合いを表すランク情報を有するので、ユーザ端末では、特典情報の表示を、有利なランク情報のものから順番に表示して、より有利な恩恵をユーザが受けるための選択を、容易にすることができる。
【００１４】
（４）  （１）から（３）までのいずれかに記載のアフィリエイトサーバにおいて、前記販売促進記憶手段は、前記特典情報の使用可能な期間を定める有効期限を前記特典情報に対応付けて記憶し、前記Ｗｅｂページ送信手段は、前記促進対象コードに対応する前記特典情報のうち前記有効期限が使用可能な範囲の前記特典情報を抽出し、抽出した前記特典情報に対応する前記有効期限のうち期限の到来が早いものから順番に出力するように前記Ｗｅｂページを生成して送信すること、を特徴とするアフィリエイトサーバ。
【００１５】
本発明のこのような構成によれば、特典情報に有効期限を有するので、例えば、特典情報をいつまでも使用可能な状態であるといった特典情報の煩雑な使用を防ぎ、特典情報の管理を容易にできる。また、有効期限内の特典情報のうち、期限の到来の早いものから順番に表示して、ユーザに、残り有効期限が少ない特典情報の使用を促すことができる。
【００１６】
（５）  （１）から（４）までのいずれかに記載のアフィリエイトサーバにおいて、前記報酬付与手段は、前記促進対象コードに対応する前記ユーザコードの記憶数量に応じて、前記記憶数量が多いほどより多くの報酬を付与すること、を特徴とするアフィリエイトサーバ。
【００１７】
本発明のこのような構成によれば、例えば、多くのユーザが登録した販売促進対象により多くの報酬を付与するので、販売促進対象に対して登録や販売を促すことができる。
【発明の効果】
【００１８】
本発明によれば、販売促進対象とユーザとの両者に有益なアフィリエイトサーバを提供することができる。
【図面の簡単な説明】
【００１９】
【図１】本実施形態に係るアフィリエイトシステムの構成の概要を示す図である。
【図２】本実施形態に係るアフィリエイトサーバ及び携帯電話機の機能構成を示す図である。
【図３】本実施形態に係るメイン処理のフローチャートである。
【図４】本実施形態に係るユーザ記憶手段及び代理店記憶手段の例を示す図である。
【図５】本実施形態に係るマイページの例を示す図である。
【発明を実施するための形態】
【００２０】
以下、本発明を実施するための形態について図を参照しながら説明する。なお、これはあくまでも一例であって、本発明の技術的範囲はこれに限られるものではない。
【００２１】
（実施形態）
図１は、本実施形態に係るアフィリエイトシステム１００の構成の概要を示す図である。図２は、本実施形態に係るアフィリエイトサーバ１及び携帯電話機３の機能構成を示す図である。
【００２２】
図１に示すように、アフィリエイトシステム１００は、例えば、大学生協５１や、書店５４や、講座を主催する講師５７等の個人を含んだ代理店（販売促進対象）に対してＱＲ（Ｑｕｉｃｋ  Ｒｅｓｐｏｎｓｅ）コード（登録商標）を発行する。携帯電話機３（ユーザ端末）は、そのＱＲコードを読み取って、携帯電話機３からアフィリエイトサーバ１にアクセスする。そして、ユーザが、ＱＲコードにより得られるクーポン情報（特典情報）を用いて、携帯電話機３から講座の申込みをする。このようにすることで、携帯電話機３のユーザは、講座の受講料の割引等のクーポンによる恩恵が得られ、ＱＲコードの発行元の代理店は、クーポンが使用されたことに対する報酬を得ることができる。
【００２３】
また、図２に示すように、アフィリエイトサーバ１と、携帯電話機３とは、通信ネットワーク５を介して接続されている。アフィリエイトサーバ１は、代理店からの依頼等により、代理店を特定する代理店コード（促進対象コード）を代理店ごとに付与する。また、アフィリエイトサーバ１は、少なくとも代理店コードとアフィリエイトサーバ１のＵＲＬ（Ｕｎｉｆｏｒｍ  Ｒｅｓｏｕｒｃｅ  Ｌｏｃａｔｏｒ）とを含む、ＱＲコードを生成する。そして、アフィリエイトシステム１００では、例えば、アフィリエイトサーバ１で生成した代理店コードを含むＱＲコードを、その代理店コードが示す代理店に配布する。ＱＲコードとは、小さな正方形の点を縦横同じ数だけ並べた、マトリックス型の二次元コードをいう。
【００２４】
各代理店は、各々の代理店コードを含むＱＲコードを用いて、例えば、資格試験対策の受講講座の販売の促進に用いる。例えば、大学生協５１では、名刺サイズのチケット５２にＱＲコード５３を印刷して、学生に配布する。また、書店５４では、講座案内のパンフレット５５にＱＲコード５６を貼り付けて書店内に常設する。講師５７は、自身のブログ５８にＱＲコード５９を表示させる。ＱＲコード５３，５６，５９は、代理店コードが各々異なるコードである。ユーザは、携帯電話機３を用いてＱＲコードを読み取ることで、クーポン情報を登録し、さらに、そのクーポン情報を用いることで、講座の割引等の特典を受けることができる。
【００２５】
なお、ＱＲコードの配布は、例えば、アフィリエイトサーバ１に電子メールの機能を有して、アフィリエイトサーバ１から、電子メールにＱＲコード５９を添付して、通信ネットワーク５を介して講師５７の端末に送信することで行ってよい。また、アフィリエイトサーバ１が、チケット５２にＱＲコード５３を印刷して、アフィリエイトサーバ１の運営者が、ＱＲコード５３が印刷されたチケット５２を大学生協５１に郵送してもよい。さらに、アフィリエイトサーバ１がシールにＱＲコード５６を印刷して、アフィリエイトサーバ１の運営者が、パンフレット５５とＱＲコード５６が印刷されたシールとを書店５４に郵送してもよい。その他、頒布性を考慮して、代理店の宣伝と共にＱＲコードの入ったティッシュを街頭で配布してもよい。このように、ＱＲコードの頒布性の容易さを利用して、多くのユーザに、アフィリエイトサーバ１のＵＲＬを配布することができる。
【００２６】
上述の説明では、代理店からの受付等をシステムで行うか否かを具体的に記載していないが、アフィリエイトサーバ１がＱＲコード発行システムを備えて、代理店からの受付、代理店コードの発行からＱＲコードの発行までをＷｅｂページから行えるようにしてもよい。
【００２７】
図２に示すように、アフィリエイトサーバ１は、制御部１０と、記憶部２０と、通信インタフェース部２９とを備える。
制御部１０は、情報の演算及び処理を行う情報演算処理装置（ＣＰＵ）であり、当該アフィリエイトサーバ１の全体を制御するものである。制御部１０は、記憶部２０に記憶された各種プログラムを適宜読み出して実行することにより、アフィリエイトサーバ１のハードウェアと協働し、本発明に係る各種機能を実現している。
【００２８】
制御部１０は、指定情報受付手段１１と、代理店コード抽出手段１３（促進対象コード抽出手段）と、クーポン情報抽出手段１４（特典抽出手段）と、Ｗｅｂページ生成手段１５と、Ｗｅｂページ送信手段１６と、決済手段１７と、報酬付与手段１８とを備える。
【００２９】
指定情報受付手段１１は、例えば、携帯電話機３から受信した代理店コードと、ユーザコードとを受け付ける制御部である。ユーザコードは、ユーザを特定するためユーザごとに一意である、例えば、複数の記号の羅列で構成されたコードである。
【００３０】
代理店コード抽出手段１３は、ユーザ記憶手段２２を参照して、ユーザコードに対応する代理店コードを抽出する制御部である。
【００３１】
クーポン情報抽出手段１４は、代理店コード抽出手段１３により抽出された代理店コードに対応するクーポン情報を、後述する代理店記憶手段２１（販売促進記憶手段）に基づき抽出する制御部である。
【００３２】
Ｗｅｂページ生成手段１５は、クーポン情報抽出手段１４により抽出されたクーポン情報を選択可能な形式で表示するＷｅｂページを生成する制御部である。
【００３３】
Ｗｅｂページ送信手段１６は、Ｗｅｂページ生成手段１５で生成したＷｅｂページを携帯電話機３に送信する制御部である。
【００３４】
決済手段１７は、携帯電話機３からクーポン情報を受信したことで、受信したクーポン情報を用いて決済処理を行う制御部である。
【００３５】
報酬付与手段１８は、受信したクーポン情報に対応する代理店コードの代理店に、報酬を付与する制御部である。
【００３６】
なお、上述した代理店コードの付与処理、ＱＲコードの生成処理、電子メールの送受信、ＱＲコードの印刷等の処理は、アフィリエイトサーバ１の制御部１０により行われる。
【００３７】
記憶部２０は、本発明の処理に必要なコンピュータプログラム等を記憶する記憶装置である。記憶部２０は、制御部１０と組み合わせてプログラムの実行に使用するメモリを含んでよい。記憶部２０を実現するものとして、電気的、磁気的、光学的、電磁的に実現するものを含んでよい。より具体的には、ランダム・アクセス・メモリ（ＲＡＭ）、リード・オンリー・メモリ（ＲＯＭ）等を含む半導体記憶装置、磁気ディスク等が含まれる。
【００３８】
記憶部２０は、代理店記憶手段２１と、ユーザ記憶手段２２とを備える。代理店記憶手段２１は、代理店コードとクーポン情報とを対応付けて記憶する。ユーザ記憶手段２２は、ＱＲコードを携帯電話機３で読み取ったことで、携帯電話機３から受信した代理店コードと、携帯電話機３のユーザのユーザコードとを対応付けて記憶する。
【００３９】
ここで、本発明でいうコンピュータとは、記憶装置、制御装置等を備えた情報処理装置をいい、アフィリエイトサーバ１は、記憶部２０、制御部１０等を備えた情報処理装置であり、本発明のコンピュータの概念に含まれる。
【００４０】
通信インタフェース部２９は、アフィリエイトサーバ１が、通信ネットワーク５を介して携帯電話機３に対してデータを送受信する場合のネットワークアダプタである。通信インタフェース部２９は、モデム、ケーブルモデム及びイーサネット（登録商標）アダプタを含んでよい。
【００４１】
なお、アフィリエイトサーバ１を構成するハードウェアの数に制限はなく、必要に応じて１又は複数のハードウェアで構成してよい。また、複数のハードウェアで構成する場合には、通信ネットワーク５を介して各ハードウェアを接続してもよい。
【００４２】
携帯電話機３は、Ｗｅｂページを表示可能なＷｅｂブラウザを備えた情報通信端末である。携帯電話機３は、制御部３０と、記憶部４０と、カメラ部４１と、入力部４２と、表示部４３と、通信インタフェース部４４とを備える。
【００４３】
制御部３０は、情報の演算及び処理を行う情報演算処理装置（ＣＰＵ）であり、当該携帯電話機３の全体を制御するものである。制御部３０は、記憶部４０に記憶された各種プログラムを適宜読み出して実行することにより、携帯電話機３のハードウェアと協働し、本発明に係る各種機能を実現している。
【００４４】
制御部３０は、ＵＲＬ取得手段３１と、ユーザコード入力手段３２と、Ｗｅｂページ受信手段３３と、クーポン情報送信手段３４とを備える。
【００４５】
ＵＲＬ取得手段３１は、図１に示すように、大学生協５１で取得したチケット５２のＱＲコード５３を、カメラ部４１を用いて読み取って、ＱＲコード５３が示すＵＲＬを取得する制御部である。
【００４６】
ユーザコード入力手段３２は、例えば、携帯電話機３のユーザのユーザコードの入力を受け付ける制御部である。
【００４７】
Ｗｅｂページ受信手段３３は、アフィリエイトサーバ１で生成されたＷｅｂページであって、クーポン情報を、複数の中から１つを選択可能な形式で表示したＷｅｂページを受信する制御部である。
【００４８】
クーポン情報送信手段３４は、選択されたＷｅｂページのクーポン情報を、アフィリエイトサーバ１に送信する制御部である。
【００４９】
記憶部４０は、本発明の処理に必要なコンピュータプログラム等を記憶する記憶装置である。記憶部４０は、制御部３０と組み合わせてプログラムの実行に使用するメモリを含んでよい。記憶部４０を実現するものとして、電気的、磁気的、光学的、電磁的に実現するものを含んでよい。より具体的には、ランダム・アクセス・メモリ（ＲＡＭ）等を含む半導体記憶装置等が含まれる。
【００５０】
ここで、本発明でいうコンピュータとは、記憶装置、制御装置等を備えた情報処理装置をいい、携帯電話機３は、記憶部４０、制御部３０等を備えた情報処理装置であり、本発明のコンピュータの概念に含まれる。
【００５１】
カメラ部４１は、例えば、チケット５２（図１）に表示されたＱＲコード５３を撮影する撮影部である。入力部４２は、携帯電話機３への入力を行う装置であり、例えば、操作ボタンである。表示部４３は、液晶表示装置（ＬＣＤ）等のディスプレイである。通信インタフェース部４４は、携帯電話機３が、通信ネットワーク５を介してアフィリエイトサーバ１に対して情報を送受信する場合のネットワークアダプタである。
【００５２】
なお、携帯電話機３を、ＰＤＡ（Ｐｅｒｓｏｎａｌ  Ｄｉｇｉｔａｌ  Ａｓｓｉｓｔａｎｔｓ）や、その他の端末であって、ＱＲコードを読み取り可能な装置を有する端末で代用してもよい。
【００５３】
次に、処理の流れについて説明する。ここでは、図１に示すアフィリエイトシステム１００の構成概要図に示された、携帯電話機３と、アフィリエイトサーバ１との間の処理について説明する。図３は、本実施形態に係るメイン処理のフローチャートである。図４は、本実施形態に係るユーザ記憶手段２２及び代理店記憶手段２１の例を示す図である。図５は、本実施形態に係るマイページ６０の例を示す図である。
【００５４】
まず、図３のステップＳ１０では、携帯電話機３のユーザが、チケット５２に印刷されたＱＲコード５３にカメラ部４１を向けて、入力部４２を操作することで、制御部３０（ＵＲＬ取得手段３１）は、チケット５２に印刷されたＱＲコード５３を読み取って、アフィリエイトサーバ１のＵＲＬを取得する。読み取ったＵＲＬは、アフィリエイトサーバ１のアドレスの後に、例えば、「？ｄｉｄ＝ｘｘｘｘ（ｘｘｘｘは、代理店コード）」のように引数の形式で、代理店コードを含む。
【００５５】
ステップＳ２０において、携帯電話機３のユーザが、取得したＵＲＬへ接続する操作を行うことで、制御部３０は、アフィリエイトサーバ１のＵＲＬに対して接続を行う。このことにより、携帯電話機３においてＱＲコードを読み取ることで、アフィリエイトサーバ１のＵＲＬを指定して接続できるので、簡易な方法でアフィリエイトサーバ１に接続することができ、携帯電話機３とアフィリエイトサーバ１との間で通信を行うことができる。
【００５６】
ステップＳ３０において、アフィリエイトサーバ１の制御部１０（指定情報受付手段１１）は、携帯電話機３から送信された代理店コードを受信する。そして、制御部１０は、ユーザ登録用のＷｅｂページを、携帯電話機３に対して送信する。
【００５７】
ステップＳ４０において、携帯電話機３のユーザは、アフィリエイトサーバ１に対してユーザ登録済か否かを判断する。ユーザ登録済ではない場合（ステップＳ４０：ＮＯ）には、ステップＳ５０に進み、アフィリエイトサーバ１から受信したユーザ登録用のＷｅｂページをユーザが操作して、例えば、新規登録用の処理を選択して、各種のユーザ情報を入力することで、制御部３０は、アフィリエイトサーバ１に対して登録要求データを送信する。他方、ユーザ登録済である場合（ステップＳ４０：ＹＥＳ）には、ステップＳ６０に進み、アフィリエイトサーバ１から受信したユーザ登録用のＷｅｂページをユーザが操作して、例えば、ユーザＩＤとして既に割り振られたユーザコードを入力することで、制御部３０（ユーザコード入力手段３２）は、入力されたユーザコードを受け付けて、アフィリエイトサーバ１に対してユーザコードを送信する。こうすることで、アフィリエイトサーバ１の制御部１０（指定情報受付手段１１）は、携帯電話機３からユーザコードを受信することができる。
【００５８】
ステップＳ７０において、アフィリエイトサーバ１の制御部１０は、携帯電話機３から受信したものが登録要求データであるか否かを判定する。登録要求データである場合（ステップＳ７０：ＹＥＳ）には、制御部１０は、処理をステップＳ８０に移す。他方、登録要求データではない場合（ステップＳ７０：ＮＯ）には、制御部１０は、処理をステップＳ９０に移す。
【００５９】
ステップＳ８０において、制御部１０が携帯電話機３から登録要求データを受信したことに応じて、制御部１０（指定情報受付手段１１）は、ユーザコードを割り当てる。割り当てられたユーザコードは、例えば、制御部１０が携帯電話機３に対して通知することで、ユーザは、自身のユーザコードを知ることができる。
【００６０】
ステップＳ９０において、制御部１０は、ステップＳ３０で受信した代理店コードと、ステップＳ７０又はステップＳ８０で受け付けたユーザコードとを対応付けて、ユーザ記憶手段２２に記憶する。
【００６１】
ユーザ記憶手段２２は、図４（ａ）に示すように、代理店コード２２ａとユーザコード２２ｂとを対応付けて記憶している。代理店コード２２ａには、予め割り当てられた代理店を一意に表すコードであって、ステップＳ３０においてアフィリエイトサーバ１の制御部１０が受信した代理店コードが格納される。ユーザコード２２ｂには、ユーザを一意に表すコードであって、ステップＳ７０で受信し、又は、ステップＳ８０で割り当てられたユーザコードが格納される。例えば、図４（ａ）のユーザ記憶手段２２は、ユーザコードが「０４Ｂ０１２３４」のユーザが、既に代理店コードが「Ｃ」の代理店で発行されたＱＲコードを読み取ってそのレコードが格納されており（図中（１））、今回、代理店コードが「Ａ」の代理店で発行されたＱＲコードを読み取ったことでレコード（図中（２））が追加されたことを示している。
【００６２】
図３に戻り、ステップＳ１００において、制御部１０（代理店コード抽出手段１３）は、ユーザ記憶手段２２を参照して、ユーザコードに対応する代理店コードを抽出する。上述の図４（ａ）では、制御部１０は、ユーザコード「０４Ｂ０１２３４」に対応する代理店コード「Ａ」と「Ｃ」とを抽出する。
【００６３】
ステップＳ１１０において、制御部１０（クーポン情報抽出手段１４）は、代理店記憶手段２１を参照して、代理店コードに対応するクーポン情報を抽出する。
【００６４】
代理店記憶手段２１は、図４（ｂ）に示すように、代理店コード２１ａと、クーポン情報２１ｂと、有効期限２１ｃとを対応付けて記憶している。代理店記憶手段２１は、各代理店ごとのＱＲコードを発行する際に、その代理店のレコードを登録する。代理店コード２１ａは、図４（ａ）の代理店コード２２ａと同様である。クーポン情報２１ｂには、携帯電話機３に表示される情報であって、代理店の名称と、特典である割引率（ランク情報）とが格納される。割引率は、ユーザが、講座申込み時に適用される価格の割引率であり、代理店ごとに異なってよい。有効期限２１ｃには、クーポン情報の有効期限が格納される。
【００６５】
例えば、代理店コードとして「Ａ」と「Ｃ」とが抽出されている場合に、制御部１０（クーポン情報抽出手段１４）は、図４（ｂ）の（３）と（４）とに示す２レコードを抽出することができる。なお、本処理を実行する日付は、抽出された２レコードの有効期限２１ｃの範囲内である。このように、代理店記憶手段２１は、有効期限２１ｃを有するので、例えば、クーポン情報をいつまでも使用可能な状態であるといったクーポン情報の煩雑な使用を防ぐことができる。
【００６６】
図３に戻り、ステップＳ１２０では、制御部１０（Ｗｅｂページ生成手段１５）は、抽出したクーポン情報を用いて、そのユーザ専用のＷｅｂページであるマイページ６０を生成する。
【００６７】
マイページ６０は、例えば、図５に示すようなＷｅｂページである。マイページ６０には、ユーザ名６１と、クーポン情報表示部６２と、ボタン６３と、広告表示部６５とを有する。
【００６８】
ユーザ名６１のユーザ名は、例えば、ユーザコードにユーザ名が対応付けられたユーザ情報テーブル（図示せず）を参照して得ることができる。ユーザ名６１の表示によって、マイページ６０は、そのユーザ専用のページであることを示している。
【００６９】
クーポン情報表示部６２は、例えば、プルダウンメニュー形式で、使用可能な複数のクーポン情報を表示させる。このように、携帯電話機３では、クーポン情報を選択可能に表示するので、例えば、複数のクーポン情報を表示する際に、ユーザがクーポン情報を比較しやすい形式で表示させることができる。制御部１０は、クーポン情報表示部６２に表示されるクーポンの各々について、代理店記憶手段２１のクーポン情報２１ｂと有効期限２１ｃとに格納された値を用いて作成する。制御部１０は、例えば、クーポン情報２１ｂの割引率の高いものを上位に配置したり、有効期限２１ｃが早く到来するものを上位に配置する。クーポン情報２１ｂの割引率の高いものを上位に配置することで、ユーザがより有利な恩恵を受けるための選択を、容易にすることができる。また、有効期限２１ｃが早く到来するものを上位に配置することで、ユーザに、有効期限の到来しそうな特典情報の使用を促すことができる。
【００７０】
ボタン６３は、ユーザによりクーポン情報表示部６２に表示された複数のクーポンから使用したいクーポンを選択した状態で押下等の操作により選択されることで、使用するクーポンを決定する。
【００７１】
広告表示部６５は、複数のクーポンに対応する代理店コードが示す代理店の広告を表示する。例えば、代理店記憶手段２１に、代理店コード２１ａに対応して広告情報を追加して格納することで実現できる。さらに、代理店記憶手段２１に、代理店の広告宣伝用のキャッチコピーや、発行年月日等の情報を有して表示してもよい。
【００７２】
図３に戻り、ステップＳ１３０において、制御部１０（Ｗｅｂページ送信手段１６）は、生成したマイページ６０を携帯電話機３に送信する。
【００７３】
ステップＳ１４０において、携帯電話機３の制御部３０（Ｗｅｂページ受信手段３３）は、アフィリエイトサーバ１から送信されたマイページ６０を受信して、受信したマイページ６０を表示する。
【００７４】
ステップＳ１５０において、制御部３０（クーポン情報送信手段３４）は、表示されたマイページ６０からクーポン情報表示部６２においてクーポンが選択された状態で、ボタン６３（図５参照）が選択されたことで、クーポン情報表示部６２に選択表示されたクーポン情報をアフィリエイトサーバ１に送信する。
【００７５】
ステップＳ１６０において、アフィリエイトサーバ１の制御部１０（決済手段１７）は、携帯電話機３からクーポン情報を受信して、そのクーポンを用いた決済処理を行う。具体的には、制御部１０は、通常価格よりもクーポンに示しただけの割合で割引された価格にて、商品等を販売する。
【００７６】
ステップＳ１７０において、制御部１０（報酬付与手段１８）は、使用されたクーポン情報に対応する代理店コードを、代理店記憶手段２１から抽出して、その代理店コードが示す代理店に対して報酬を付与する。報酬は、例えば、単位時間（月単位等）あたりのクーポンの使用数量に応じて、その報酬の割合を大きくしてよい。このようにすることで、アフィリエイトシステム１００は、多くのユーザがクーポンを使用した代理店により多くの報酬を付与するので、代理店でのクーポンの配布を促すことができる。それにより、アフィリエイトシステム１００全体として、活性化したものにできる。その後、アフィリエイトシステム１００は、本処理を終了する。
【００７７】
このように、アフィリエイトシステム１００は、ＱＲコードに代理店コードを含めることで、アフィリエイトサーバ１に、代理店を特定させて、決済処理と報酬付与処理とを行わせることができる。また、アフィリエイトサーバ１は、代理店コードとクーポン情報とを対応付けて記憶するので、ＱＲコードを読み取ったユーザにクーポンを使用させることができる。このように、アフィリエイトシステム１００は、ＱＲコードによる集客効果が期待でき、代理店とユーザとの両者に有益なものにできる。
【００７８】
以上、本発明の実施形態について説明したが、本発明は、上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００７９】
（変形形態）
（１）本実施形態では、クーポンの選択画面をプルダウンメニュー形式のものにしたが、これに限定されず、他のユーザインタフェースによる表示でもよい。例えば、複数のクーポンを一律に表示して、表示されたクーポンごとに、その横にラジオボタンを配置することで、ユーザにラジオボタンを選択させるようにしてもよい。
【００８０】
（２）本実施形態では、複数のクーポンの表示順について、有効期限の到来の早いものから順番に上位に表示する方法と、割引率の高いものから順番に上位に表示する方法との両者の例を示したが、どちらか一方であってもよい。また、直近に登録した代理店のクーポン情報を上位に表示するようにしてもよい。直近に登録したものを上位に表示することで、代理店とクーポン情報との関連をユーザが把握しやすいものにできる。
【００８１】
（３）本実施形態では、ＱＲコードを使用するものとして説明したが、その他の二次元コードであってもよい。つまり、配布性があり、ユーザが所有するＷｅｂページが表示可能な端末で読み取り可能なものであれば、ＱＲコードと同様の効果が期待できる。
【００８２】
（４）本実施形態では、ＱＲコードの読み取りと一連でマイページの表示を行う例で説明したが、ＱＲコードの読み取りと、マイページの表示とは、別に行ってもよい。例えば、携帯電話機からユーザコードを入力して、マイページを表示させてもよい。また、マイページの表示は、携帯電話機に限定されず、パーソナルコンピュータ等のＱＲコードの読み取り機能を有さないＷｅｂブラウザが搭載された装置であってもよい。
【００８３】
（５）本実施形態では、ユーザの新規登録時において、アフィリエイトサーバが任意のユーザコードを割り当てるものとして説明したが、これに限定されない。携帯電話機からユーザが希望のユーザコードを受信して、アフィリエイトサーバでユーザコードが一意のコードになるか否かを判定し、一意のコードである場合に、受信したユーザコードをそのユーザのユーザコードとして認定するようにしてもよい。
【符号の説明】
【００８４】
１      アフィリエイトサーバ
３      携帯電話機
５      通信ネットワーク
１０，３０  制御部
１１    指定情報受付手段
１３    代理店コード抽出手段
１４    クーポン情報抽出手段
１５    Ｗｅｂページ生成手段
１６    Ｗｅｂページ送信手段
１７    決済手段
１８    報酬付与手段
２０，４０  記憶部
２１    代理店記憶手段
２２    ユーザ記憶手段
４１    カメラ部
４３    表示部
５３，５６，５９  ＱＲコード
６０    マイページ
６２    クーポン情報表示部
１００  アフィリエイトシステム
【図１】
2010287067.tif 000003
【図２】
2010287067.tif 000004
【図３】
2010287067.tif 000005
【図４】
2010287067.tif 000006
【図５】
2010287067.tif 000007